(57)【要約】      （修正有）【課題】室内での洗濯物を干す場所を簡単に確保する、しかも太陽光線の当たる場所とし、太陽光線での殺菌効果が落ちることを防ぐ、等のことを課題とする。【解決手段】本考案の窓周り用室内物干し装置は、室内壁面に取付けた複数の取付部材１２と、該複数の取付部材の下方には１個若しくは２個のカーテンレール５を取付け、且つ該複数の取付部材のそれぞれに該壁面に直角に伸縮するように嵌挿した複数の伸縮部材１３と、から構成され、又は前記複数の取付部材と、該複数の取付部材のそれぞれに前記壁面に直角に伸縮するように嵌挿した複数の中間部材１８と、該中間部材に嵌挿した複数の伸縮部材１３と、から構成される。【選択図】図１１
0003115020.tif 000002
【実用新案登録請求の範囲】
【請求項１】
室内壁面に取付けた取付部と該壁面に直角に設けられ且つ該取付部に延設したアジャスター部とからなる複数の取付部材と、該複数の取付部材の複数のアジャスター部に嵌挿されて複数の転動体による伸縮機構を備えた複数の伸縮部材と、該複数の伸縮部材の該壁面と反対側の先端に設置したハンガー部材と、から構成された窓周り用室内物干し装置であって、
前記複数のアジャスター部の下方には、１個若しくは２個のカーテンレールが取付けられており、
前記伸縮機構には、１段若しくは複数段のストッパー機構を設置し又は無段階のストッパー機構を設置しており、
前記複数の伸縮部材の前記壁面と反対側にハンガー部材を複数設置した、ことを特徴とする窓周り用室内物干し装置。
【請求項２】
室内壁面に取付けた取付部と該壁面に直角に設けられ且つ該取付部に延設したアジャスター部とからなる複数の取付部材を有し、
該複数の取付部材の複数のアジャスター部に嵌挿されて複数の転動体による伸縮機構を備えた複数の中間部材、及び該複数の中間部材に嵌挿されて複数の転動体による伸縮機構を備えた複数の伸縮部材、からなるアジャスター部、中間部材及び伸縮部材の３段部材の伸縮機構を有し、
該複数の伸縮部材の該壁面と反対側の先端に設置したハンガー部材を有する、窓周り用室内物干し装置であって、
前記複数のアジャスター部の下方には、１個若しくは２個のカーテンレールが取付けられており、
前記複数の伸縮部材の前記壁面と反対側にハンガー部材を複数設置した、ことを特徴とする窓周り用室内物干し装置。
【考案の詳細な説明】
【技術分野】
【０００１】
本考案は、室内物干し装置に関し、特に窓周り用室内物干し装置に関する。
【背景技術】
【０００２】
従来、下記のような状況があり室外での洗濯物を干す環境が、無くなりつつある状況である。すなわち、
１．外に洗濯物を干せない住居が増えている。
２．雨季や冬などは洗濯物が乾きにくい。
３．高層マンションが増え、外に干せない。
４．花粉症の人は洗濯物に花粉が付着しないよう室内に干さざるをえない。
【０００３】
そこで、従来の室内での洗濯物の物干し状況の実態を調査してみると、下記のような状況であることが判明した。すなわち、
１．室内の太陽光線の当たらない場所、風通しの悪い場所でハンガーに掛け洗濯物を乾かしている。
２．壁面についているハンガーレールなどを利用して洗濯物を乾かすことから壁紙のほこりが洗濯物についてしまい不潔である。
３．カーテンレールなどにぶら下げて洗濯物を乾かすことで、カーテンについているほこりが洗濯物についてしまい不潔である。また、カーテンレールの破損につながる恐れがある。
４．コインランドリーなどを利用し費用がかかる。
５．自動乾燥機などを購入し、洗面所スペースが取られる。
【０００４】
また、特許文献１に記載の発明には、「上記目的を達成するための手段として、吸盤に取り付ける支持軸に、物干し竿等を支持する支持板を設けると共に、支持板に掛る荷重を受ける受板を設けてなる。また、支持板を所要の角度に固定する固定部を設けてなる。さらに、支持板にアタッチメントを設けてなる。」と記載されている。
【０００５】
このように、窓へ吸盤を吸着させて支持軸を取付け、該支持軸に支持板を設けて、該支持板で物干し竿を受けるものである。しかし、特許文献１の発明は、支持軸を壁面に固定するものでもなく、物干し竿の位置を伸縮自在の複数段とすることを目的とするものでもない。
【０００６】
また、特許文献２に記載の考案には、「太、中、細と口径の異なるパイプを順次差し込み一本のロッドアンテナ状の伸縮自在性をもたせたパイプ部材と、図２に示す断面をもつふたつの部材１ａと１ｂを図２に示すように組み合わせ、締め付けハンドル２を回すことによってアルミサッシＡを締め付ける取付け部材１と、取付け部材１とパイプ部材４を連結するヒンジ部材３からなる片持ちの旋回性と伸縮性を有する物干し器具。」と記載されている。
【０００７】
このように、一本のロッドアンテナ状の伸縮自在性をもたせたパイプ部材を壁面に取付け、該パイプ部材を物干し竿としたものである。しかし、特許文献２の考案は、一本のロッドアンテナ状のパイプ部材を物干し竿としてもので、物干し竿の位置を壁面に平行にして、該物干し竿の位置を複数段とすることを目的とするものではない。
【０００８】
また、特許文献３に記載の考案には、「縦の一片内側に凹凸の溝があり、横一片上部にＵ型の凹、下部に角の凹、両側面に凹凸の溝のあるエル形状の本体１と、前記本体１の縦一片内側の凹凸にはまる凹凸の溝があり横一片下部の角の凹にはまるクランク形状の支柱２と、前記本体１の両側面の凹凸にはまる凹凸の溝のあるコ形状に縦に直角の面があるガイド３、の３部品からなるカーテンレールに乗せるハンガー。」と記載されている。
【０００９】
このように、窓枠とカーテンレールを使用して物干し竿を乗せるハンガーである。しかし、特許文献３の考案は、窓枠とカーテンレールを使用したハンガー装置に物干し竿を乗せるもので、ハンガー装置を壁面に固定し、該物干し竿の位置を複数段とすることを目的とするものではない。
【００１０】
【特許文献１】特開２０００−１７５７９９号公報（第２頁左欄３４〜３９行目、及び図１〜図６）
【特許文献２】実開平６−７９４９０号公報（第２頁、左欄２〜９行目、及び図１〜図５）
【特許文献３】実用新案登録第３０８５２４７号公報（第２頁、右欄の補正された[請求項１]、及び図１〜図２）
【考案の開示】
【考案が解決しようとする課題】
【００１１】
ところで、室内での物干しの問題点として、下記が指摘されている。すなわち、
１．室内に洗濯物を干す場所がない。
２．太陽光線の当たらない場所での物干しは乾きにくい。
３．太陽光線での殺菌効果が落ちることで不潔である。
【００１２】
しかし、これらの問題点に対して、特許文献１〜３には、その解決策が示されていない。
【００１３】
そこで、本考案は上記に鑑みてなされたもので、室内での洗濯物を干す場所を簡単に確保する、しかも太陽光線の当たる場所とし、太陽光線での殺菌効果が落ちることを防ぐ、等のことを課題とするものである。
【課題を解決するための手段】
【００１４】
上記目的を達成するために、本考案の窓周り用室内物干し装置においては、下記のような手段を取った。
【００１５】
請求項１に記載の本考案は、室内壁面に取付けた取付部と該壁面に直角に設けられ且つ該取付部に延設したアジャスター部とからなる複数の取付部材と、該複数の取付部材の複数のアジャスター部に嵌挿されて複数の転動体による伸縮機構を備えた複数の伸縮部材と、該複数の伸縮部材の該壁面と反対側の先端に設置したハンガー部材と、から構成された窓周り用室内物干し装置であって、前記複数のアジャスター部の下方には、１個若しくは２個のカーテンレールが取付けられており、前記伸縮機構には、１段若しくは複数段のストッパー機構を設置し又は無段階のストッパー機構を設置しており、前記複数の伸縮部材の前記壁面と反対側にハンガー部材を複数設置した、ことを特徴とする窓周り用室内物干し装置である。
【００１６】
このように、本考案の請求項１は、室内壁面に取付けた取付部と該壁面に直角に且つ取付部に直角に延設されたアジャスター部とからなる複数の取付部材と、該複数の取付部材の複数のアジャスター部の下方には１個又は２個のカーテンレールを取付け、且つ該複数の取付部材の複数のアジャスター部に伸縮するように嵌挿されて複数の転動体による伸縮機構を備えた複数の伸縮部材と、該複数の伸縮機構には１段若しくは複数段のストッパー機構を設置し又は無段階のストッパー機構を設置し、且つ該複数の伸縮部材の該壁面と反対側の先端に設置した1個又は複数のハンガー部材と、から構成されたことを特徴とする窓周り用室内物干し装置である。
【００１７】
更に、請求項２に記載の本考案は、室内壁面に取付けた取付部と該壁面に直角に設けられ且つ該取付部に延設したアジャスター部とからなる複数の取付部材を有し、該複数の取付部材の複数のアジャスター部に嵌挿されて複数の転動体による伸縮機構を備えた複数の中間部材、及び該複数の中間部材に嵌挿されて複数の転動体による伸縮機構を備えた複数の伸縮部材、からなるアジャスター部、中間部材及び伸縮部材の３段部材の伸縮機構を有し、該複数の伸縮部材の該壁面と反対側の先端に設置したハンガー部材を有する、窓周り用室内物干し装置であって、前記複数のアジャスター部の下方には、１個若しくは２個のカーテンレールが取付けられており、前記複数の伸縮部材の前記壁面と反対側にハンガー部材を複数設置した、ことを特徴とする窓周り用室内物干し装置である。
【００１８】
このように、本考案の請求項２は、室内壁面に取付けた取付部と該壁面に直角に設けられ且つ該取付部に延設したアジャスター部とからなる複数の取付部材を有し、該複数の取付部材のアジャスター部の下方には１個又は２個のカーテンレールを取付け、該複数の取付部材のアジャスター部に嵌挿されて複数の転動体による伸縮機構を備えた複数の中間部材、及び該複数の中間部材に嵌挿されて複数の転動体による伸縮機構を備えた複数の伸縮部材、からなるアジャスター部、中間部材及び伸縮部材の３段部材の伸縮機構を有し、該複数の伸縮部材の該壁面と反対側の先端に設置した1個又は複数のハンガー部材を有することを、特徴とする窓周り用室内物干し装置である。
【００１９】
また、本考案は、室内の窓の壁面に設置するので、室内での洗濯物を干す場所を簡単に確保し、しかも太陽光線の当たる場所としたので、太陽光線での殺菌効果が落ちることを防ぐことができる。また、従来のユニットバス等で洗濯物を干していた場合と比較すると、該ユニットバスの場合は湿気の問題があり洗濯物の乾燥に時間が掛かったが、本考案の窓周り用室内物干し装置では、そのような問題を解消することができた。
【考案の効果】
【００２０】
本考案は、以上の説明から、以下に記載されるような効果を奏する。
【００２１】
すなわち、室内での洗濯物を干す場所を簡単に確保する、しかも太陽光線の当たる場所とし、太陽光線での殺菌効果が落ちることを防ぐ、等の効果がある。
【００２２】
また、本考案の窓回り用物干し装置の特徴としては、下記の通りである。
１．カーテンレールと一体となっていることから、新たに洗濯物を乾かすスペースを確保する必要がない。
２．ハンガー部材（洗濯物を掛ける棒、いわゆる物干し竿に相当）を支える伸縮部材が伸縮するために、カーテンに触れず洗濯物を掛けることが可能である。
３．窓の近くに洗濯物を掛けるため、乾きも早く殺菌効果も得られ、室外に干すのと変わりがない。
４．室内であるため洗濯物が風で飛ばされることも無く、洗濯バサミも不用。
５．室内で物干しを行うことで、天候を気にせず洗濯ができる。
６．窓枠の壁面の上部に設置するので、丈の長い洗濯物も干すことが可能である。
７．室内で洗濯物を干すことで盗難防止にもなる。
８．伸縮部材が伸縮することでレースカーテンを閉めた状態でも洗濯物を干すことができ、プライバシーの面も保つこが可能である。
【００２３】
また、本考案を商品化したときの提案商品の特徴としては、下記の通りである。
１．太陽光線を受入れ易い室内の窓周り上部を利用することから、洗濯物を早く乾かすことが可能である。
２．ハンガー部材（物干し竿に相当）を支える伸縮部材が伸縮するため、障害物に触れることなく、洗濯物を干せる。
３．カーテンレールの付いているスペースを利用することで、新たにパイプを固定するスペースを必要としない。
本考案の窓周り用室内物干し装置は、以上のような効果をもたらすことができる。
【考案を実施するための最良の形態】
【００２４】
以下に、本考案の実施をするための最良の形態を図面に基づいて説明する。
【００２５】
図１は、本考案の窓周り用室内物干し装置の一実施例の斜視図である。図２は、本考案の窓周り用室内物干し装置の一実施例の平面図である。図３は、本考案の窓周り用室内物干し装置の一実施例の側面図である。図４は、本考案の伸縮機構を説明するための拡大斜視図である。図５（ａ），（ｂ）は、本考案の取付部材の平面図である。
【００２６】
図６は、本考案の伸縮機構のストッパー機構の第１の実施例を説明するためのもので、（ａ）は，ストッパー機構がＯＮ状態を示す図４のＡ−Ａ断面図であり、（ｂ）はストッパー機構がＯＦＦ状態を示す図４のＡ−Ａ断面図であり、（ｃ）は、ストッパー機構の板バネの斜視図である。図７は、ストッパー機構の第２の実施例を示すものであり、（ａ）は摺動部材にストッパーの突起を示す図４のＢ−Ｂ断面図であり、（ｂ）は、ストッパーの突起と取付部との嵌合状態を説明する図４のＢ−Ｂ断面図であり、（ｃ）は、ストッパーの突起を設けた側面の撓みを説明する図４のＣ−Ｃ断面図である。
【００２７】
図８は、ストッパー機構の第３の実施例を説明するものであり、（ａ）は、摺動部材とアジャスター部との嵌合状態を説明する図４のＣ−Ｃ断面図であり、（ｂ）は、摺動部材の撓みを説明するためのアジャスター部が無いときの図４のＣ−Ｃ断面図である。図９は、伸縮機構の転動体を説明する斜視図である。（ａ）は、保持器に球体である転動体を保持した説明図（第1の実施例）であり、（ｂ）は、保持器にころ体である転動体を保持した説明図（第２の実施例）である。
【００２８】
図１０は、本考案の窓周り用室内物干し装置の第２の実施例である。（ａ）は、平面図であり、（ｂ）は正面図である。図１１は、本考案の窓周り用室内物干し装置の第２の実施例の伸縮機構を最大に伸ばしたときの図面である。（ａ）は、平面図であり、（ｂ）は正面図である。図１２は、図１１（ａ）の部分拡大図である。図１３は、図１２の断面図である。（ａ）は，Ｄ−Ｄ断面図であり、（ｂ）は、Ｅ−Ｅ断面図あり、（ｃ）は、Ｆ−Ｆ断面図である。
【００２９】
図１４は、図１２のＧ−Ｇ断面図である。図１５は、本考案の窓周り用室内物干し装置の第２の実施例のアジャスター部、及び伸縮部材の斜視図である。図１６は、本考案の窓周り用室内物干し装置の第２の実施例の中間部材の斜視図である。図１７は、本考案の窓周り用室内物干し装置の第２の実施例の保持器の斜視図である。
【００３０】
図１〜図５により、本考案の一実施例である窓周り用室内物干し装置について説明する。図１に示すように、本考案の窓周り用室内物干し装置１は、室内壁面に取付けた複数の取付部材２ａ、２ｂ、２ｃ、…と、該複数の取付部材のそれぞれに該壁面に直角に伸縮するように嵌挿した複数の伸縮部材３、３、…と、該複数の伸縮部材３、３、…の該壁面と反対側の先端に設置したハンガー部材４と、から構成されている。
【００３１】
また、本考案の窓周り用室内物干し装置１は、取付部材２ａ、２ｂ、２ｃ、…を、窓周りの壁面に取付けることによって、物干し竿としての機能を果たすものである。そして、物干し竿としての機能を果たすハンガー部材４の位置を、窓からの位置を自由に調整することができるように取付部材２に伸縮機構を備えたものとなっている。また、図２及び図３に示すように、２個のハンガー部材４ａ，４ｂを設けることもできる。図３ではハンガー部材４ｂを伸縮部材３の上部に設けているが、下部に設けても良い。尚、ハンガー部材４（４ａ，４ｂを総称してのハンガー部材４のこと）の耐荷重は、８〜１５ｋｇに設定して、窓周り用室内物干し装置１の設計を行っており、このことは実験により確認されている。また、この耐荷重の設定は、洗濯物の最低限重量より設定されており、洗濯機の容量である重量８ｋｇに耐えることができることを目標としたものである。
【００３２】
また、当該取付部材２ａ、２ｂ、２ｃ、…には、ダブルレールである２個のカーテンレール５、５が取付けられている。図１〜図３では、２個のカーテンレール５，５が取付けられているが、２個に限定するものではなく、１個でも良い。
【００３３】
次に、図２〜図４により、本考案の取付部材の伸縮機構について説明する。図４に示すように、当該伸縮機構は、取付部２１と該取付部２１に対して直角に立設しているアジャスター部２２とからなる取付部材２と、伸縮部材３と、伸縮機構の調整を滑らかに行うための球体の複数の転動体６，６、…と、から構成されている。
【００３４】
そして、当該取付部材２は、室内壁面側に取付部２１があり、当該取付部２１には、複数の孔２１１、２１１、…が穿設されている。当該孔２１１は、壁面に取付部２１をネジ又は釘等で取付けるための孔である。また、取付部２１は、図４では逆L型の平板であるが（図１の左側の２ａも同じ）、長方形型（図１の中央部２ｂ）や、逆L型の対称型（図１の右側２ｃ）もあるように、形状を限定するものではない。
【００３５】
また、アジャスター部２２は、取付部２１に対して直角方向に（換言すると、壁面に直角方向に）立設して延設されており、断面形状は上面２２２の中央部分を開放した横長の長方形であり、先端部は左右の一部を閉じた閉面部２２３、２２３としている。また、底面に穿設された２個の孔２２１、２２１は、カーテンレール５、５を固定するためのネジ孔である。尚、取付部２１とアジャスター部２２との取付・固定は、その素材に鋼板を使用したときは、溶接又はネジ止め等の方法があり、また、素材に合成樹脂を使用したときは、一体成型の方法等を適宜選択すると良い。また、アジャスター部２２の断面形状を上面２２２の中央部分を開放した横長の長方形で説明したが、これに限定するものでは無く、横長の長方形型、丸型、多角形型など適宜選択すると良い。但し、伸縮部材３の形状も考慮して形状を選択することが必要である。
【００３６】
また、伸縮部材３は、断面形状が底面を開放した横長の長方形であり、取付部２１側には当該長方形の端部より横へ延設した閉じた面３４（図４に示す）又は当該長方形の端部より横へ延設した面（すなわち、伸縮部材３の断面形状である長方形の内側が無いもの）となっている。尚、伸縮部材３の断面形状を底面を開放した横長の長方形に限定するものではなく、横長の長方形型、丸型、多角形型など適宜選択すると良い。但し、アジャスター部２２の断面形状も考慮して形状を選択することが必要である。また、伸縮部材３の素材としてアジャスター部２２と同様に鋼板を選択することもでき、更に、合成樹脂を選択することもできるが、アジャスター部２２との素材選択と同時に適宜選択することが良い。
【００３７】
当該アジャスター部２２と伸縮部材３との伸縮は、伸縮部材３を摺動させることによって、伸縮機構の伸縮を行うようになっている。すなわち、図４に示すように、矢印の左上方へ伸縮部材３を押すと、当該伸縮部材３は、アジャスター部２２の中を摺動して左上方へ移動することによって、当該伸縮部材３は縮んだことになる。この摺動をスムーズに行うために複数の転動体６、６、…が摺動軸受としての機能を果たしている。
【００３８】
また、伸縮機構を伸ばすときは、伸縮部材３を矢印の右下方へ伸ばすと、前記同様に、当該伸縮部材３は、アジャスター部２２の中を摺動して伸び出てくる。尚、伸縮機構のストッパー機構７は、後記する。
【００３９】
また、転動体６は、取付部材２と伸縮部材３との摺動をスムーズに行うよう軸受の転動体の役目を果たすように球状となっており、通常は鋼球が使用されている。また、素材としては鋼であるが、磨耗に良い合金綱等を適宜選択すると良い。尚、当該転動体６としての鋼球が、伸縮機構よりはみ出したり、脱落しないように、アジャスター部２２の側面、底面、上面２２２、閉面部２２３と、伸縮部材３の側面３３と、伸縮部材３の取付部２１側の端部（閉じた面３４又は横へ延設した面）と、で構成される閉じた空間Ｓに当該複数の転動体６、６、…を収容している。上記は、図４の伸縮部材３の左側部分に付記された記号を元に転動体６の説明をしているが、右側についても同様である。また、図２の破断部分、及び図３でも、複数の転動体６,６、…が空間Sの中を移動する様子を示している。
【００４０】
次に、図５により、取付部２１を説明する。当該取付部２１は、（ａ）は長方形の取付部２１（図１の中央部の取付部材２ｂと同じ）であり、（ｂ）は、逆Ｌ型の対称型の取付部２１（図１の右側の取付部材２ｃと同じ）である。そして、取付部２１に立設してアジャスター部２２が設けられている。尚、図１の左側の取付部材２ａの取付部は、（ｂ）とは反対の逆L型である。また、当該取付部２１には、アジャスター部２２が立設しており、当該アジャスター部２２には、伸縮部材３が嵌挿している。また、アジャスター部２２と伸縮部材３とで作られた閉じた左右の空間Ｓ、Ｓには、複数の転動体６、６、…が配置され、伸縮機構の摺動をスムーズにしている。
【００４１】
また、取付部２１は室内壁面へ複数の孔２１１、２１１、…により、ネジ又は釘等で取付けられる。
【００４２】
次に、図６（ａ）、（ｂ）、（ｃ）により、ストッパー機構の第１の実施例について説明する。ストッパー機構７は、板バネ７１に取付けた先端が半球状のボス７２と、伸縮部材３の孔３１１と、アジャスター部２２の上面２２２の孔２２４と、から構成されている。まず、板バネ７１は、その後部に穿設された孔７３にネジ７３１等を使用して伸縮部材３の上面３１の裏側に取付ける。そして、図６（ａ）に示すように、伸縮部材３の孔３１１とアジャスター部２２の上面２２２の孔２２４とが板バネ７１に固定されたボス７２に嵌合したとき、ストッパー機構７が働き、アジャスター部２２と伸縮部材３との摺動を停止する（ＯＮ状態）。更に、図6（ｂ）の矢印方向（右側）へ伸縮部材３を、摺動して動かすと、ボス７２は、アジャスター部２２の上面２２２の孔２２４との嵌合を解除した状態となる（ＯＦＦ状態）。尚、矢印と反対方向の左側へ動かしても、同様である。このように、伸縮部材３を左右に動かすことによって、ストッパー機構７がロックと解除を繰り返すことになる。尚、板バネ７１は、バネ綱又はバネ用ステンレス鋼等のバネ材料を使用し、ボス７２は鋼材を使用している。尚、アジャスター部２２の上面２２２に複数の穿設された孔２２４、２２４、…を設けることにより、複数段のストッパー機構が得られる。
【００４３】
次に、図４、図７により、ストッパー機構の第２の実施例について説明する。図４に示す伸縮部材３の側面３３に突起３２が形成されている。当該突起３２は、図４のストッパー機構７を実施するときは、不要である。図４は、第２の実施例を説明するために、便宜的に突起３２を伸縮部材３に付与している。
【００４４】
次に、図７（ａ）の図４のＢ−Ｂ断面図に示すように、伸縮部材３の側面３３にストッパーの突起３２を設けている。（ｂ）に示すように、該突起３２は、伸縮部材３が図４に示す矢印の左上方へ移動すると、アジャスター部２２の閉面部２２３、２２３に当接し、その後（ｃ）に示すように、伸縮部材３の両側面３３、３３が弾性変形して撓み、当該アジャスター部２２の閉面部２２３、２２３を乗り越えて伸縮部材３は摺動して、伸縮機構の長さＬ（図１、図２に示す）を調整する。また、伸縮機構の長さＬを多段階に伸縮させるときは、当該突起３２を複数設ける必要がある。例えば、３段階ならば、３個設けると良い。尚、突起３２を伸縮部材３の片側の側面３３に設けても良いが、伸縮部材３の両側面３３、３３の対応する箇所にそれぞれ設けても良い。図４及び図７は、両側面３３、３３に設けた場合を示している。
【００４５】
次に、図４、図８により、ストッパー機構の第３の実施例について説明する。図８（ａ）に示すように、アジャスター部２２と伸縮部材３との嵌合状態での伸縮部材３の底面の幅Ｌ１と、アジャスター部２２が無いとき（アジャスター部２２と嵌合していないときの（ｂ）の図）の伸縮部材３の底面の幅Ｌ２とは、Ｌ２＞Ｌ１であり、Ｌ２−Ｌ１＝δである。当該δは、伸縮部材３の撓みである。この撓みδは、伸縮部材３の弾性変形量である。この撓みδの変形量による弾性力で適宜にアジャスター部２２と伸縮部材３とは固定されている。しかし、摺動力が弾性力を超えると摺動してしまうが、ハンガー部材４を固定する程度の弾性力は得られるので実務的には問題ない。この第３の実施例によれば、無段階の摺動機構が得られる。
【００４６】
次に、図４、図９により、伸縮機構の転動体について説明する。図９（ａ）に示すように、複数の鋼球の転動体６、６、…は、保持器６１に、当該複数の転動体６、６、…を組み込んで、アジャスター部２２と伸縮部材３との相互の摺動に伴い複数の転動体６，６、…を転動させることによって、スムーズに摺動させることができる。図９（ａ）の第１の実施例は、転動体６に鋼球を使用した場合であり、図９（ｂ）の第２の実施例は、転動体６にころ体を使用している。
【００４７】
当該保持器６１は、図９（ａ）に示すように、閉じた空間Ｓ内を左右に移動するようになっている。すなわち、保持器６１の幅Ｗ１は、空間Ｓの幅Ｗ２より小さく（Ｗ１＜Ｗ２），保持器６１の高さｈ１は、空間Ｓの高さｈ２より小さい（ｈ１＜ｈ２）。また、鋼球である転動体６の直径ｄ１は、空間の幅Ｗ２及び高さｈ２よりも小さい（ｄ１＜Ｗ２、ｈ２）。従って、図９（ａ）では、転動体６は、空間Ｓ内を転動しながら保持器６１と共に移動することができる。また、当然ながら、保持器６１の鋼球を保持している孔の直径ｄ２は、鋼球の直径ｄ１より大きい（ｄ１＜ｄ２）。
【００４８】
また、図９（ｂ）に示すように、円柱状のころ体を使用した転動体６の場合も、図９（ａ）と同様に、当該転動体６は保持器６１と共に空間Ｓ内を転動して移動する。尚、当然ながら、転動体６のころ体の円柱状の直径ｄ３は、保持器６１の角孔の幅ｄ４より小さい（ｄ３＜ｄ４）。
【００４９】
次に、前記図１〜図９をまとめると、本考案の窓周り用室内物干し装置１は、室内壁面に取付けた取付部２１と該壁面に直角に且つ取付部２１に直角に延設されたアジャスター部２２とからなる複数の取付部材２，２、…と、該複数の取付部材２、２、…の下方には１個又は２個のカーテンレール５，５を取付け、且つ該複数の取付部材２、２、…のアジャスター部２２、２２、…に伸縮するように嵌挿されて複数の転動体６、６、…による伸縮機構を備えた複数の伸縮部材３、３、…と、該複数の伸縮部材３、３、…には１段若しくは複数段のストッパー機構７，７、…を設置し又は無段階のストッパー機構を設置し、且つ該複数の伸縮部材３，３、…の該壁面と反対側の先端に設置した1個又は複数のハンガー部材４、４、…と、から構成されたことを特徴とする窓周り用室内物干し装置１である。また、本考案の特徴を簡単に述べると、カーテンレール兼用物干し竿（又は物干し竿兼用カーテンレール）である。
【００５０】
次に、図１０〜図１７により、本考案の第２の実施例である窓周り用室内物干し装置について説明する。本考案の窓周り用室内物干し装置１０は、図１に示す窓周り用室内物干し装置１に対して、伸縮機構の一部が相違するほかは、図１と同じであるので、同一箇所の図面及び説明を省略する。また、図１０〜図１７では、図１〜図９と同一部材に対しては、同一名称とし同じ符号を付して説明し、同一機能の部材に対しては、同一名称としながら異なる符号を付して説明する。
【００５１】
本考案の窓周り用室内物干し装置１０は、図１〜図９に説明する取付部材２ａ，２ｂ、２ｃのアジャスター部２２、及び伸縮部材３、３、３に対して、アジャスター部２２は、アジャスター部１２２に相当し、伸縮部材３は、伸縮部材１３に相当する。そして、窓周り用室内物干し装置１０は、中間部材１８が新たに追加されているので、窓周り用室内物干し装置１と相違する。すなわち、窓周り用室内物干し装置１０は、窓周り用室内物干し装置１を発展的に開発されたものである。
【００５２】
従って、窓周り用室内物干し装置１０についての説明は、窓周り用室内物干し装置１に対しての相違点に絞って説明する。
【００５３】
まず、最初に、当該窓周り用室内物干し装置１０の全体を説明すると、図１０〜図１４に示すように、当該窓周り用室内物干し装置１０は、室内壁面に取付けた取付部２１と該壁面に直角に設けられ且つ該取付部２１に延設したアジャスター部１２２とからなる複数の取付部材１２、１２、…を有し、該複数の取付部材１２、１２、…の複数のアジャスター部１２２、１２２、…に嵌挿されて複数の転動体６、６、…による伸縮機構を備えた複数の中間部材１８，１８、…、及び該複数の中間部材１８、１８、…に嵌挿されて複数の転動体６、６、…による伸縮機構を備えた複数の伸縮部材１３、１３、…、からなるアジャスター部１２２、中間部材１８及び伸縮部材１３の３段部材の伸縮機構を有し、該複数の伸縮部材１３、１３、…の該壁面と反対側の先端に設置したハンガー部材４を有することを、特徴とするものである。
【００５４】
すなわち、当該伸縮機構は、アジャスター部１２２、中間部材１８及び伸縮部材１３の３部材から構成されている３段部材の伸縮機構であり、当該伸縮機構は、複数の転動体６、６、…による伸縮機構であるので、伸縮機構の長さＬ１０は、自由に選択できる無段階の調整ができるようになっている。すなわち、図１０では、伸縮機構の長さＬ１０は、最小の長さＬ１００である（図１０に示すように、Ｌ１０の括弧書きＬ１００は最小を示すものである）。また、図１１には伸縮機構を最大に伸ばした状態を示しており、図１１のＬ１１０は、Ｌ１０の最大であるＬ１１０を示すものである。
【００５５】
次に、各部材の詳細を説明する。図１５により、アジャスター部及び伸縮部材を説明する。当該図１５は、アジャスター部１２２と伸縮部材１３とを示しているが、両部材は、構成上、同一部材としている（すなわち、設計上、同一形状としている）ので、図面表示の符号は、アジャスター部１２２を基準に表示し、括弧書きで伸縮部材１３の表示もしている。図示するように、アジャスター部１２２（伸縮部材１３）は，上面を開放したコ字型断面形状であり、平面１２３（１３１）、両側面１２４、１２４（１３２、１３２）、一方端は閉塞端面１２５（１３３）、他方端はゴム端面１２６（１３４）としている。当該側面１２４（１３２）は、外側へ円弧状に膨らんだ凸形状であり、ゴム端面１２６（１３４）には、緩衝部材１２７（１３５）を取付けている。また、図１０に示すように、アジャスター部１２２の左端の閉塞端面１２５は、取付部２１と溶接Ｗ等の固定方法により固定されて、すなわち、当該アジャスター部１２２と取付部２１とは一体化された取付部材１２となる。
【００５６】
また、図１０に示すように、伸縮部材１３の平面１３１の右端には、溶接Ｗ等の固定方法でハンガー部材受け１３６を取付けている。当該ハンガー部材受け１３６は、左側は伸縮部材１３の平面との溶接Ｗのため、平面部をなし、右側には上方を開放したコ字型断面形状である。更に、右側の立設した側面には、ハンガー部材４を固定するためのネジ孔が設けられ、当該ネジ孔に止めネジ１３７を捩じ込んでハンガー部材４を固定している。当該止めネジ１３７のネジ長さを適宜設定しておくと、ハンガー部材４の大きさを限定することなく、固定することができる。換言すると、ハンガー部材４がハンガー部材受け１３６のコ字型断面に適宜に嵌挿できる大きさならば、止めネジ１３７のネジ長さを適宜設定することで止めネジ１３７で固定することができる。
【００５７】
次に、図１６により、中間部材を説明する。まず、図１０〜図１４に示すように、中間部材１８は、同一形状の２個の小中間部材１８１ａ、１８１ｂとを組み合わせて、中間部材１８としている。よって、図１６により、小中間部材１８１ａ（１８１ｂも同じ）について説明する。当該小中間部材１８１ａは、上面を開放したコ字型断面形状であり、平面１８２、両側面１８３、１８３、一方端は開放された開放端面１８４、他方端はゴム端面１８５としている。当該側面１８３は、内側へ円弧状に膨らんだ凹形状であり、ゴム端面１８５には、緩衝部材１８６を取付けている。当該ゴム端面１８５は、上部を狭く開口した狭窄部１８５ｂとし、それに連続した広く開口した広拡部１８５ａとしている。
【００５８】
また、緩衝部材１８６は、両側に大きな緩衝端部１８６ａ，１８６ａと、中間部に両側よりも小さくした緩衝中間部１８６ｂとからなるものである。当該緩衝部材１８６の素材は、天然ゴム、合成ゴム、軟質の合成樹脂等の弾性材が使用されている。そして、当該緩衝部材１８６は、ゴム端面１８５に嵌合されて固定される。詳しく説明すると、狭窄部１８５ｂの入口寸法よりもやや大きくした緩衝中間部１８６ｂを緩衝部材１８６の弾性を利用して当該狭窄部１８５に嵌挿して広拡部１８５ａに嵌合させると、当該緩衝部材１８６は容易にゴム端面１８５より抜け出せない、すなわち、固定される。尚、図１５（アジャスター部１２２、及び伸縮部材１３）のゴム端面１２６（１３４）と緩衝部材１２７（１３５）も同様であるので説明を省略する。
【００５９】
そして、図１０〜図１４に示すように、当該２個の小中間部材１８１ａ、１８１ｂの平面１８２、１８２同士を当接し溶接Ｗ等で固定して、中間部材１８としている。尚、両平面１８２、１８２はお互いに所定の間隔でずらして当接して固定しているので、中間部材１８の長手方向の長さは、小中間部材１８１ａ（１８１ｂ）よりは長くなっている。
【００６０】
次に、図１７により、保持器について説明する。図示するように、当該保持器１６１は、上面を開放したコ字型断面形状であり、平面１６２、両側面１６３、１６３、両端は開放された端部１６４、１６４、としている。当該両側面１６３、１６３は、平面１６２より、一旦両側の下側へ落ち込んだ凹部１６２ａ、１６２ａとし、当該凹部１６２ａ，１６２ａから立設した側面１６３、１６３としている。当該側面１６３は、分割された複数の保持片１６３ａ，１６３ａ、…からなるものである。当該保持片１６３ａには、転動体６を保持する孔１６５が穿設されている。当該孔１６５の直径ｄ６は、転動体６の直径ｄ１よりやや大きい。よって、転動体６は、孔１６５の中を転動して動く。
【００６１】
次に、具体的に伸縮機構を説明する。図１０〜図１４に示すように、当該伸縮機構は、主な部材として取付部材１２のアジャスター部１２２と、中間部材１８と、及び伸縮部材１３と、並びに２個の保持器１６１、１６１に組み込んだ複数の転動体６、６、…とを組み合わせた機構である。図１０（ａ）に示すように、伸縮機構の長さＬ１０は、伸縮機構の最小では、Ｌ１００である（図１０（ａ）に（Ｌｌ００）と記載されている）。図１０は、伸縮機構の最小の状態である。図１１は、伸縮機構の最大である。説明を補完すると、図１０のアジャスター部１２２は取付部材１３として壁面に固定されているので、当該伸縮機構を図１０の最小Ｌ１００の状態から引き伸ばすには、図１０の右方向に伸縮部材１３を引き伸ばすことである。当該引き伸ばしを最大にすると、図１１の状態のＬ１１０となる。すなわち、図１１（ａ）に示す伸縮機構の長さＬ１１０は、伸縮機構の最大である。
【００６２】
図１０に示す伸縮機構の最小では、伸縮機構の左端にて伸縮部材１３は取付部２１側に当接し、伸縮機構の右端にてアジャスター部１２２は伸縮部材１３のハンガー部材受け１３６に当接している。図１０では、アジャスター部１２２と伸縮部材１３とは同一部材のため、両部材の長手方向の長さは同一のため、左端、右端が同時に当接しているが、しかし、両部材が相違し長手方向の長さが相違していると、いずれかが当接して、伸縮機構の最小となる。
【００６３】
また、伸縮機構の最大は、図１１、図１２、及び図１４に示すように、中間部材１８の下側の部材である小中間部材１８１ａの左端と転動体６を保持している保持器１６１の左端が当接し、且つアジャスター部１２２の右端と保持器１６１の右端が当接している。同様に、図面を省略しているが、中間部材１８の上側の部材である小中間部材１８１ｂの右端と転動体６を保持している保持器１６１の右端が当接し、且つ伸縮部材１３の左端と保持器１６１の左端が当接している。
【００６４】
更に、詳しく説明すると、図１２及び図１３に示すように、中間部材１８の下側の小中間部材１８１ａの左端には、ゴム端面１８５が形成され、当該ゴム端面１８５に緩衝部材１８６が取付けられている。そして、当該緩衝部材１８６を形成している右側の緩衝端部１８６ａの右端面が保持器１６１の左端の端部１６４に当接している。また、アジャスター部１２２の右端には、ゴム端面１２６が形成され、当該ゴム端面１２６に緩衝部材１２７が取付けられている。そして、当該緩衝部材１２７を形成している左側の緩衝端部１２７ａの左端面は保持器１６１の右端の端部１６４に当接している。また、中間部材１８の上側の小中間部材１８１ｂと伸縮部材１３との関係も同様であるので図面及び説明を省略する。このように、伸縮機構の長さを最大にしている。
【００６５】
尚、伸縮機構の長さをスムーズに調整するために、複数の転動体６、６、…が滑ることによって、調整している。この滑り（以下、滑りながら動く様子を滑動と称することとする）を助けるために、伸縮機構の３部材には、２個の保持器１６１、１６１と球体である複数の転動体６，６、…が組み込まれている。また、一般的には、転動体６は鋼球を使用している。
【００６６】
次に、転動体と保持器が、アジャスター部と小中間部材との中を、又は小中間部材と伸縮部材との中を、どのように動いているかについて説明する。
【００６７】
一方の保持器１６１は、アジャスター部１２２と小中間部材１８１ａとの間で形成された空間Ｓ１０の中を当該保持器１６１は、遊嵌している。また、当該保持器１６１には複数の転動体６、６、…が当該保持器１６１の複数の孔１６５、１６５、…に遊嵌され、且つ保持器１６１の側面１６３とアジャスター部１２２の側面１２４との間で遊嵌している。尚、他方の保持器１６１は、小中間部材１８１ｂと伸縮部材１３との間に形成された空間Ｓ１１の中を遊嵌している。遊嵌の状況については、一方の保持器１６１と同様のため、図面及び説明を省略する。
【００６８】
次に、一方の保持器１６１と複数の転動体６、６、…が、空間Ｓ１０で遊嵌している状況を詳しく説明する。図１３の断面図に示すように、空間Ｓ１０はアジャスター部１２２の外側へ円弧状に膨らんだ凸形状の側面１２４と小中間部材１８１ａの内側へ円弧状に膨らんだ凹形状の側面１８３とで形成されている。当該空間Ｓ１０の中を保持器１６１に保持された複数の転動体６、６、…は、転動しながら保持器１６１と一緒に滑動している。
【００６９】
図１３（ａ）では、アジャスター部１２２と小中間部材１８１ａとで形成する空間Ｓ１０の中を保持器１６１に保持された転動体６が滑動している状況を示しており、（ｂ）は、（ａ）に示す滑動と共に、上の小中間部材１８１ｂと伸縮部材１３とで形成する空間Ｓ１１の中を他方の保持器１６１と転動体６とが滑動している状況を示しており、（ｃ）は、（ｂ）と同様である。但し、（ｂ）の断面図では、下側の転動体の動きの断面であり、上側の転動体の動きは、断面Ｅ−Ｅより、遠方の転動体の動き（すなわち、空間Ｓ１１の中の動き）を覗いた状況を示しており、（ｃ）の断面図では、伸縮部材１３の中を覗いた状況の転動体の動き（すなわち、空間Ｓ１１の中の動き）である。
【００７０】
また、図１０〜図１７の実施例では、転動体６は、球体であるが、図９（ｂ）と同様に、円柱状のころ体を使用することもできる。当該ころ体を使用するときは、保持器１６１の転動体６を保持する孔１６５を図９（ｂ）と同じようにすると良い。
【００７１】
また、付言すると、図１１に示すように、アジャスター部１２２の下側には、カーテンレール５，５が取付けられている。これは、図１〜図３に示すものと同様である。更に、図１１に示すように、伸縮部材１３には、図２及び図３と同様に第２のハンガー部材４ｂを取付けている。このように、ハンガー部材は複数取付けることができる。
【００７２】
更に、付言すると、取付部２１とアジャスター部１２２とは溶接Ｗして取付部材１２とし、小中間部材１８１ａと１８１ｂとは溶接Ｗして中間部材１８とし、更に、伸縮部材１３とハンガー部材受け１３６とは溶接Ｗとしているが、これらの溶接Ｗは、それぞれの素材を鋼材を想定したものである。しかし、本考案は、それぞれの素材を鋼材に限定するものではなく、他の素材でも良い。例えば、取付部材１２は合成樹脂の一体成型品でもよく、中間部材１８も合成樹脂の一体成形品でも良く、また、伸縮部材１３とハンガー部材受け１３６とは合成樹脂の一体成型品でも良い。当該合成樹脂には、エンジニアリングプラスチックス等を選択すると良い。
【００７３】
以上の説明により、下側のアジャスター部１２２と小中間部材１８１ａとの組み合わせと、伸縮部材１３と上側の小中間部材１８１ｂとの組み合わせとは、中間部材１８の中心点に対して、相互に対称形状であることが解る。
【００７４】
図１０〜図１７をまとめると、窓周り用室内物干し装置１０は、室内壁面に取付けた取付部２１と該壁面に直角に設けられ且つ該取付部２１に延設したアジャスター部１２２とからなる複数の取付部材１２、１２、…を有し、該複数の取付部材１２、１２、…の複数のアジャスター部１２２、１２２、…に嵌挿されて複数の転動体６、６、…による伸縮機構を備えた複数の中間部材１８、１８、…、及び該複数の中間部材１８、１８、…に嵌挿されて複数の転動体６、６、…による伸縮機構を備えた複数の伸縮部材１３、１３、…、からなるアジャスター部１２２、中間部材１８及び伸縮部材１３の３段部材の伸縮機構を有し、該複数の伸縮部材１３、１３、…の該壁面と反対側の先端に設置したハンガー部材４を有することを、特徴とするものあり、前記複数のアジャスター部１２２、１２２、…の下方には、１個若しくは２個のカーテンレール５、５が取付けられており、前記複数の伸縮部材１３、１３、…の前記壁面と反対側にハンガー部材４を複数設置したことを、特徴とする窓周り用室内物干し装置１０である。また、本考案の特徴を簡単に述べると、カーテンレール兼用物干し竿（又は物干し竿兼用カーテンレール）である。
【００７５】
以上の説明は、開示された実施の形態のすべての点で例示であり制限的なものではない。従って、本考案の範囲は、上記の説明に限定されたものではなく、特許請求の範囲によって示されるものであり、特許請求の範囲と均等の意味及び範囲内のすべての変更が含まれることが意図されている。
【産業上の利用可能性】
【００７６】
本考案の窓周り用室内物干し装置は、外に洗濯物を干せない住居、高層マンション、雨季や冬などは洗濯物が乾きにくい時期、花粉症の人のために洗濯物に花粉が付着しないよう外で干せない環境、等の室外での洗濯物を干す環境が無くなりつつある状況で、室内用として利用することができる。
【図面の簡単な説明】
【００７７】
【図１】図１は、本考案の窓周り用室内物干し装置の一実施例の斜視図である。
【図２】図２は、本考案の窓周り用室内物干し装置の一実施例の平面図である。
【図３】図３は、本考案の窓周り用室内物干し装置の一実施例の側面図である。
【図４】図４は、本考案の伸縮機構を説明するための拡大斜視図である。
【図５】図５（ａ），（ｂ）は、本考案の取付部材の平面図である。
【図６】図６は、本考案の伸縮機構のストッパー機構の第１の実施例を説明するためのもので、（ａ）は，ストッパー機構がＯＮ状態を示す図４のＡ−Ａ断面図であり、（ｂ）はストッパー機構がＯＦＦ状態を示す図４のＡ−Ａ断面図であり、（ｃ）は、ストッパー機構の板バネの斜視図である。
【図７】図７は、ストッパー機構の第２の実施例を示すものであり、（ａ）は摺動部材にストッパーの突起を示す図４のＢ−Ｂ断面図であり、（ｂ）は、ストッパー突起と取付部との嵌合状態を説明する図４のＢ−Ｂ断面図であり、（ｃ）は、ストッパーの突起を設けた側面の撓みを説明する図４のＣ−Ｃ断面図である。
【図８】図８は、ストッパー機構の第３の実施例を説明するものであり、（ａ）は、摺動部材とアジャスター部との嵌合状態を説明する図４のＣ−Ｃ断面図であり、（ｂ）は、摺動部材の撓みを説明するためのアジャスター部が無いときの図４のＣ−Ｃ断面図である。
【図９】図９は、伸縮機構の転動体を説明する斜視図である。（ａ）は、保持器に球体である転動体を保持した説明図（第１の実施例）であり、（ｂ）は、保持器にころ体である転動体を保持した説明図（第２の実施例）である。
【図１０】図１０は、本考案の窓周り用室内物干し装置の第２の実施例である。（ａ）は、平面図であり、（ｂ）は正面図である。
【図１１】図１１は、本考案の窓周り用室内物干し装置の第２の実施例の伸縮機構を最大に伸ばしたときの図面である。（ａ）は、平面図であり、（ｂ）は正面図である。
【図１２】図１２は、図１１（ａ）の部分拡大図である。
【図１３】図１３は、図１２の断面図である。（ａ）は，Ｄ−Ｄ断面図であり、（ｂ）は、Ｅ−Ｅ断面図あり、（ｃ）は、Ｆ−Ｆ断面図である。
【図１４】図１４は、図１２のＧ−Ｇ断面図である。
【図１５】図１５は、本考案の窓周り用室内物干し装置の第２の実施例のアジャスター部、及び伸縮部材の斜視図である。
【図１６】図１６は、本考案の窓周り用室内物干し装置の第２の実施例の中間部材の斜視図である。
【図１７】図１７は、本考案の窓周り用室内物干し装置の第２の実施例の保持器の斜視図である。
【符号の説明】
【００７８】
１  窓周り用室内物干し装置
２、２ａ、２ｂ，２ｃ…  取付部材
２１  取付部      ２１１  孔
２２  アジャスター部      ２２１  孔      ２２２  上面      ２２３  閉面部
２２４  孔
３、３、…  伸縮部材      ３１  上面      ３１１  孔
３２  突起      ３３  側面      ３４  閉じた面
４、４ａ，４ｂ  ハンガー部材
５  カーテンレール
６  転動体      ６１  保持器
７  ストッパー機構      ７１  板バネ      ７２  ボス
７３  孔      ７３１  ネジ
Ｌ  伸縮機構の長さ      Ｌ１、Ｌ２  伸縮部材の幅
Ｓ  空間
δ  撓み
Ｗ１、Ｗ２  幅
ｄ１、ｄ２、ｄ３  直径      ｄ４  角孔の幅
ｈ１、ｈ２  高さ
１０  窓周り用室内物干し装置
１２  取付部材      １２２  アジャスター部      １２３  平面
１２４  側面      １２５  閉塞端面      １２６  ゴム端面
１２７  緩衝部材
１３  伸縮部材      １３１  平面      １３２  側面      １３３  閉塞端面
１３４  ゴム端面      １３５  緩衝部材
１３６  ハンガー部材受け      １３７  止めネジ
１６１  保持器      １６２  平面      １６２ａ  凹部
１６３  側面      １６３ａ  保持片      １６４  端部      １６５  孔
１８  中間部材      １８１ａ、１８１ｂ  小中間部材      １８２  平面
１８３  側面      １８４  開放端面
１８５  ゴム端面      １８５ａ  広拡部      １８５ｂ  狭窄部
１８６  緩衝部材      １８６ａ  緩衝端部      １８６ｂ  緩衝中間部
Ｌ１０、Ｌ１００、Ｌ１１０  伸縮機構の長さ
Ｓ１０、Ｓ１１  空間
ｄ６  直径
Ｗ  溶接
【図１】
0003115020.tif 000003
【図２】
0003115020.tif 000004
【図３】
0003115020.tif 000005
【図４】
0003115020.tif 000006
【図５】
0003115020.tif 000007
【図６】
0003115020.tif 000008
【図７】
0003115020.tif 000009
【図８】
0003115020.tif 000010
【図９】
0003115020.tif 000011
【図１０】
0003115020.tif 000012
【図１１】
0003115020.tif 000013
【図１２】
0003115020.tif 000014
【図１３】
0003115020.tif 000015
【図１４】
0003115020.tif 000016
【図１５】
0003115020.tif 000017
【図１６】
0003115020.tif 000018
【図１７】
0003115020.tif 000019